(57)【特許請求の範囲】
【請求項１】
保存用ケース本体は、底面板と天面板との両側端間に側面板を連設し且つ後面板を一体に設けている共に前面側を全面的に開口しており、このケース本体内を仕切板によって検体等の収容容器を積層状態で収納する複数の収納室に区画形成してなり、各収納室の開口前端における底面板の前端上面に上記収納容器の高さよりも低い高さの係止突起を突設していると共に後面板に各収納室内に連通させて指が挿入可能な透孔を穿設してなる保存用ケースにおいて、上記透孔は一定幅と一定長さを有する縦長孔であって、各収納室の後面板部の左右２箇所に互いに上下方向にずらせた状態で穿設していることを特徴とする検体等の収容容器の保存用ケース。
【請求項２】
保存用ケース本体は、底面板と天面板との両側端間に側面板を連設し且つ後面板を一体に設けている共に前面側を全面的に開口しており、このケース本体内を仕切板によって検体等の収容容器を積層状態で収納する複数の収納室に区画形成してなり、各収納室の開口前端における底面板の前端上面に上記収納容器の高さよりも低い高さの係止突起を突設していると共に後面板に各収納室内に連通させて指が挿入可能な透孔を穿設してなる保存用ケースにおいて、上記係止突起は半球形状の小突起からなり、この係止突起を各収納室の開口端における底面板の前端上面と天面板の前端下面とに突設していることを特徴とする検体等の収容容器の保存用ケース。
【発明の詳細な説明】
【０００１】
【発明の属する技術分野】
本発明は、病院或いは試験所等において、各種細胞や組織、或いは抗体や血液等の試料、検体（以下、検体とする）を収容する多数の収容凹部を設けている偏平な容器を、積み重ね状態で収納して冷凍保存するための保存用ケースの改良に関するものである。
【０００２】
【従来の技術】
従来から、複数の検体収容容器を積み重ね状態で収納して冷凍保存するための保存用ケースとしては、図９に示すように、平面横長長方形状の底面板２１と天面板２２との両側端間を矩形状の側面板２３、２３によって連設し且つ背面を後面板２４によって全面的に閉塞すると共に前面側を全面的に開口２５してなるケース本体２０であって、このケース本体２０内を仕切板２６によって左右方向に一定幅と高さを有する複数の収納室２７、２７・・を形成すると共に底面板２１の前端縁に上方に向かって一定高さの係止突片２８を突設してなる構造のものが使用されている。２９は一方の側面板２３の中央部に取付けている把手である。
【０００３】
一方、検体収容容器Ｂとしては、周知のように、上端が開口した有底短筒形状の検体収容凹部３１を縦横に多数、並設してなる平面矩形状の偏平な容器Ｂ１とこの容器Ｂ１の蓋体Ｂ２とからなり、図４に示すように、蓋体Ｂ２の上面外周縁部に突条３３が突設されていてこの突条３３に、容器Ｂ１の底面外周縁から下方に突設している周壁片３２を嵌合可能に形成してなるものであり、容器Ｂ１の各検体収容凹部３１内に検体を注入、収容したのち、蓋体Ｂ２を被せて密閉し、この検体収容容器Ｂを複数個、下側の検体収容容器Ｂの蓋体Ｂ２の突条３３に上側の検体収容容器Ｂの容器Ｂ１の周壁片３２を嵌合させながら積み重ね、これを上記ケース本体２０の各収納室２７内に挿入したのち、冷凍、保存するものである。
【０００４】
【発明が解決しようとする課題】
しかしながら、上記保存用ケースには、各収納室２７の開口端に検体収容容器Ｂが収納室２７内から外部に滑り出るのを防止するための係止突片２８を設けてあり、且つこの係止突片２８は比較的高さが高い上に長さが収納室２７の開口幅方向に沿って長く設けられているために、収納室２７内に検体収容容器Ｂを収納する際に、該検体収容容器Ｂの端面がこの係止突片２８に突き当たっり、さらには、検体収容容器Ｂの端部がこの係止突片２８を乗り越えても、係止突片２８の先端面が検体収容容器Ｂの外底面に引っ掛かったりして円滑な収納が行えなくなるという問題点がある。
【０００５】
さらに、各収納室２７内に積み重ね状態で収納している検体収容容器Ｂを収納室２７から取り出す際には、収納室２７の開口端に面している最下部の検体収容容器Ｂの前端面に指先を押しつけて積み重ねている全ての検体収納容器Ｂを持ち上げることにより係止突片２８を乗り越えられる状態とし、この状態から検体収容容器Ｂを引き出すという作業を行うものであるが、最上部の検体収容容器Ｂが収納室２７の天面板２２に当接してそれ以上の持ち上げが行えず、最下部の検体収容容器Ｂの外底面と収納室２７の内底面との隙間が狭くて取り出し作業に困難をきたすという問題点がある。
【０００６】
このような問題点は、各収納室２７の後面板２４に開口部を設けておくか、或いは後面板２４を設けることなく全面的に開口しておき、その開口端にも上記同様に係止突片を設けておけば、収納室２７の前面側で上記のように検体収容容器Ｂの前端部を持ち上げた状態で後面側から別な指先で押し出すことにより検体収容容器Ｂを積み重ね状態で容易に収納室２７から取り出すことができるが、後面板２４に大きな開口部を設けたり、或いは後面板２４を排除すると、ケース本体２０の強度が低下して使用に供することができなくなるという問題点が生じる。
【０００７】
また、ケース本体２０にはその一側面に冷凍室への挿入作業を容易に行わせるための把手２９が装着されているが、この把手２９を手前側にしてケース本体２０の各収納室２７に検体収容容器Ｂを収納する場合、ケース本体２０を左側に配置するのと右側に配置するのとではケース本体２０の天地が逆になり、係止突片２８が収納室２７の上方側に位置する事態が発生してケース本体２０を反転させなければならない上にその配置位置も変えなければならず、使用勝手が悪いという問題点がある。
【０００８】
本発明は上記のような問題点に鑑みてなされたもので、その目的とするところは、検体収容容器の収納、取り出し作業が円滑且つ確実に行えると共に強度的にも優れ、また、使用勝手のよい検体等の収容容器の保存用ケースを提供するにある。
【０００９】
【課題を解決するための手段】
上記目的を達成するために、本発明の検体等の収容容器の保存用ケースは、底面板と天面板との両側端間に側面板を連設し且つ後面板を一体に設ける共に前面側を全面的に開口しているケース本体内を仕切板によって検体等の収容容器を積層状態で収納する複数の収納室を区画形成してなり、各収納室の開口前端における底面板の前端上面に上記収納容器の高さよりも低い高さの係止突起を突設していると共に後面板に各収納室内に連通させて指が挿入可能な透孔を穿設してなる構造としている。
【００１０】
そして、上記検体等の収容容器の保存用ケースにおいて、請求項１に係る発明は上記後面板に穿設している透孔の構造に関するものであって、この透孔は一定幅と一定長さを有する縦長孔からなり、且つ各収納室の後面板部の左右２箇所に互いに上下方向にずらせた状態で穿設されていることを特徴とするものである。
【００１１】
さらに、請求項２に係る発明は、上記係止突起の形状を半球形状に形成していると共にこの係止突起を各収納室の開口端における底面板の前端上面と天面板の前端下面とに突設していることを特徴としている。
【００１２】
【作用】
検体を収容した収容容器を複数個、積み重ね状態にして保存用ケースの収納室内に収納するには、最下部の収容容器の外底面が収納室の開口前端の底面板上面に突設している係止突起よりも僅かに高くなるように持ち上げた状態にして収納室内に挿入する。そして、収容容器の端部が収納容器内に挿入されると、収容容器を底面板上に下ろし、しかるのち、収納室内に押し込めて収納する。この時、最下部の収容容器の外底面が係止突起の上端に載るが、係止突起の上端に点接触状態に当接するので、引っ掛かりなどが生じることなく該係止突起上を摺動させながら円滑に収納室の奥まで挿入、収納することができる。
【００１３】
また、冷凍、保存しておいた検体収容容器をケース本体から取り出すには、一方の手の指先を収納室の開口前端に面している積み重ね状態の収容容器における最下部の収容容器の前端面に押し付けながら係止突起の高さ程度まで持ち上げる一方、他方の手の指先を収納室の後面板に穿設している透孔を通じて収容容器の後端面適所に押し付けて前方に押せば、積み重ね状態の収容容器全体が収納室の開口端から容易に押し出すことができる。
【００１４】
上記透孔は一定幅と一定長さを有する縦長孔であって、各収納室の背面板部の左右２箇所に互いに上下方向にずらせた状態で穿設しておくことによって、縦長孔の周囲の板部分により強度的にも優れたケース本体を形成することができると共に上記二つの縦長孔のうち、穿設位置を下方にずらしている縦長孔の下端部から指先を挿入することによって積み重ね状態の収容容器における下層側の収容容器の後端面を押し進めて収納室の開口前端側から最下部の収容容器の前端面を持ち上げている指先と共に収納容器全体を形崩れさせることなく安定した積み重ね状態を保持しながら円滑に収納容器外に取り出すことができる。
【００１５】
さらに、係止突起を半球形状の小突起に形成しておくことにより、最下部の収容容器が該係止突起に引っ掛かることなくその円弧面を乗り上げるようにして収容容器を簡単に出し入れすることができる。また、この係止突起を各収納室の開口端における底面板の前端上面と天面板の前端下面とに突設しておくことによって、ケース本体をその天地が逆になるように、即ち、底面板が天面板となるように配設しても、そのまま上記同様にして収納容器を収納室に該収納室からの滑り出しが出来ない状態となるように収納することができると共に取り出し時においては、もう１つの縦長孔の穿設位置が下方にずれた状態となり、この縦長孔の下端部から指先を挿入することによって上記同様に円滑な取り出しが可能となるものである。
【００１６】
【発明の実施の形態】
次に、本発明の具体的な実施の形態を図面について説明する。図１〜図３において、１は検体等の収容容器の保存用ケース本体で、アルミ合金板や鋼板等の金属板からなり、平面横長長方形状の天面板１ａと底面板１ｂとの上下に対向する両側端間を一定高さを有する矩形状の両側面板１ｃ、１ｃによって一体に連設していると共に後面側に後面板１ｄを一体に設けて、前面側のみが全面的に開口している横長のボックス形状に形成してなるものである。
【００１７】
このケース本体１内は、検体収容容器Ｂの横幅よりも僅かに広い間隔毎に立設している仕切板２によって複数個の検体収容容器Ｂを積み重ね状態で収納し得る複数の収納室３、３・・・に区画されていると共に、ケース本体１の底面板１ｂの前端上面において、各収納室３の開口前端の幅方向の中央部に、高さが検体収容容器Ｂの数分の１、即ち、検体収容容器Ｂの下端部の縦幅寸法に等しい半球形状の係止突起４を突設している。さらに、ケース本体１の天面板１ａの前端下面においても、各収納室４の開口前端の幅方向の中央部に、上記係止突起４と同大、同形の係止突起４Ａを突設している。即ち、これらの係止突起４、４Ａは各収納室４の開口前端における天面板１ａと底面板１ｂとの前端面に上下に対向させた状態で突設しているものである。
【００１８】
なお、上記仕切板２は、少なくとも１つ置きの仕切板２Ａをその上下端がケース本体１の天面板１ａと底面板１ｂとに一体に固着して隣接する収納室３、３間を完全に仕切った構造とすることによりケース本体１の耐圧強度を増大させてあり、他の仕切板２は底面板１ｂから検体収容容器Ｂの１．５  倍程度の高さでもって突設させて、収納室３に対して検体収容容器Ｂの出し入れを行う時の作業空間を広くし、作業が容易に行えるように構成している。
【００１９】
また、ケース本体１の上記後面板１ｄには、外部から各収納室３内に連通し且つ指先が挿入可能な一定幅と長さを有する縦長孔からなる透孔５を穿設している。この透孔５は、各収納室３の後壁面を形成している上記後面板部の左右２箇所、即ち、各収納室３に対して同一形状、同一大きさの２つの透孔５、５Ａが連通するように穿設されてあり、隣接する透孔５、５Ａ間の間隔をこの透孔５の幅と同等ないしは広くしている。さらに、各収納室３に連通した縦長孔からなるこれらの透孔５、５Ａを互いに上下方向にずらして、一方の透孔５の下端と底面板１ｂの上面間の間隔を一つの検体収容容器Ｂの高さ（厚み）よりも小さくしていると共に該透孔５の上端と天面板１ａの下面間の間隔を検体収容容器Ｂの高さよりも大きくし、他方の一方の透孔５Ａの下端と底面板１ｂの上面間の間隔を検体収容容器Ｂの高さよりも大きくしていると共に該透孔５の上端と天面板１ａの下面間の間隔を検体収容容器Ｂの高さよりも小さくしている。
【００２０】
このように、隣接する透孔５、５Ａ間の幅間隔を該透孔の幅と同等ないしは広く形成すると共に、これらの透孔５、５Ａを互いに上下方向にずらした状態で配設しているので、後面板１ｄが強度的に偏りを生じさせることなく全面的に均一な強度を発揮することができるものである。なお、ケース本体１における一方の側面板１ｃの中央部には冷凍室に対して保存用ケースを出し入れするための把手６が取付けられている。
【００２１】
一方、上記のように構成した保存用ケースＡにおける上記各収納室３内に積み重ね状態で収納される検体収容容器Ｂとしては、図４に基づいて説明したように、上端が開口した小径で有底短筒形状の検体収容凹部３１を縦横に多数、並設してなる平面矩形状の偏平な容器Ｂ１とこの容器Ｂ１の蓋体Ｂ２とからなる。この検体収容容器Ｂは透明な合成樹脂製であって、その両側面間の幅と前後端面間の幅は保存用ケースＡにおける各収納室３の開口幅と奥行きの幅よりもそれぞれ僅かに小さく形成されている。さらに、蓋体Ｂ２の上面外周縁部に突条３３が突設されていてこの突条３３に、容器Ｂ１の底面外周縁から下方に突設している周壁片３２を嵌合可能に形成してなるものである。
【００２２】
上記保存用ケースＡの各収納室３に複数個の検体収容容器Ｂを積み重ね状態で収納するには、検体収容容器Ｂの全ての検体収容凹部３１内に検体を注入等によって収容したのち、この検体収容容器Ｂを複数個、ケース本体１の収納室３内に収納し得る高さまで積み重ねる。この際、下側の検体収容容器Ｂの蓋体Ｂ２の上面外周縁部に突設している突条３３に、上側の検体収容容器Ｂの容器Ｂ１の底面外周縁部に突設している周壁片３２が被さるように嵌合して互いにずれることなく積載し得る。
【００２３】
そして、積み重ねた検体収容容器Ｂにおける最下部の収容容器の外底面が、ケース本体１における収納室３の開口前端の底面板１ｂ上に突設している係止突起４よりも僅かに高くなるように持ち上げた状態にして収納室３内に挿入し、図５に示すように、積み重ねた検体収容容器Ｂの端部が係止突起４を乗り越えた状態まで挿入すると、底面板１ｂの前端部上に下ろし、この状態にして検体収納容器Ｂを押し進めることによって最下部の検体収容容器Ｂの外底面を係止突起４上を摺動させながら通過させ、その後端面を後面板１ｄに当接させることによって図６に示すように収納室３内に収納する。このようにして、ケース本体１の全ての収納室３内に検体収容容器Ｂを積み重ね状態で収納したのち、ケース本体１を冷凍室内に入れて検体を冷凍保存する。
【００２４】
次に、冷凍室から取り出したケース本体１内から検体収容容器Ｂを取り出すには、図７に示すように、所定の収納室３の開口前端に露呈している該収納室３内の積み重ね検体収容容器Ｂにおける最下部の検体収容容器Ｂの前面に、一方の手の指先を押し付ける。この際、最下部の検体収容容器Ｂの前面は、係止突起４部分以外の大部分が収納室３の開口前端に露出しているから、ワンタッチで簡単に該検体収容容器Ｂの前面の最も安定的に取り出し易い部分に指先を押し付けることができる。
【００２５】
さらに、他方の手の指先を上記収納室３の後面板１ｄに穿設している２つの縦長孔からなる透孔５、５Ａのうち、下端部がケース本体１の底面板１ｂの近傍部にまで達している透孔５の下端部内に上記一方の指先と対向するようにして挿入して積み重ね状態の検体収容容器Ｂにおける最下部または２層目位の検体収容容器Ｂの後端面に押し付け、この状態で一方の指先で積み重ね状態の検体収容容器Ｂを上方に上記係止突起３を乗り越えられる高さまで僅かに押し上げると共に他方の指先で検体収容容器Ｂを前方に押すと、積み重ねている検体収容容器Ｂ全体が図８に示すように、係止突起３上に摺動又は乗り越えながら収納室３から押し出される。そして、検体収容容器Ｂの前端部が収納室３から押し出されると、該検体収容容器Ｂ全体を一方の手で把持して収納室３から取り出すものである。
【００２６】
また、この保存用用ケースＡのケース本体１がその天面板１ａを下面側に、底面板１ｂを上面側に配した状態、即ち、天地を逆にした状態で設置されていても、保存用ケースＡは上半部と下半部とが対称的に構成、即ち、天面板１ａ側にも底面板１ｂの係止突起４と対向した係止突起４Ａが設けられていると共に各収納室３の後面板１ｄには上記のように、２つの縦長孔からなる透孔５、５Ａを互いに上下方向にずらした状態で穿設しているので、検体収容容器Ｂを収納時には、下側に位置した係止突起４Ａを乗り越えて上記同様に容易に各収納室３内に収納することができると共に外側に滑り出すのを防止し得るものであり、さらに、収納室３から検体収容容器Ｂを取り出す時には、下側にずれている透孔５を利用して検体収容容器Ｂを押し出すことができるものである。
【００２７】
【発明の効果】
以上のように本発明の検体等の収容容器の保存用ケースは、底面板と天面板との両側端間に側面板を連設し且つ後面板を一体に設ける共に前面側を全面的に開口しているケース本体内を、仕切板によって検体等の収容容器を積層状態で収納する複数の収納室を区画形成してなり、各収納室の開口前端における底面板の前端上面に上記収納容器の高さよりも低い高さの係止突起を突設していると共に後面板に各収納室内に連通させて指が挿入可能な透孔を穿設しているので、検体収容容器をケース本体の各収納室内に収納する場合には、その外底面を収納室の開口前端の底面板上面に突設している係止突起よりも僅かに高くなるように持ち上げたのち、係止突起上に受止させることによって該係止突起上を摺動させながら引っ掛かりなど生じることなく円滑且つ確実に収納室の奥まで挿入、収納することができる。
【００２８】
さらに、冷凍、保存しておいた検体収容容器をケース本体から取り出す場合には、一方の手の指先を収納室の開口前端に面している積み重ね状態の収容容器における最下部の収容容器の前端面に押し付けながら係止突起の高さ程度まで持ち上げ、この状態で、他方の手の指先を収納室の後面板に穿設している透孔を通じて収容容器の後端面適所に押し付けて前方に押せば、積み重ね状態の収容容器全体が収納室の開口端から容易に押し出すことができる。
【００２９】
そして、請求項１に係る発明によれば、上記透孔は一定幅と一定長さを有する縦長孔であって、各収納室の後面板部の左右２箇所に互いに上下方向にずらせた状態で穿設しているので、ケース本体の後面板が上半部と下半部とで均等な強度を発揮し、歪み変形などが生じ難くなって収納室内に検体収容容器Ｂを安定した状態で収納しておくことができると共に出し入れ時にも支障をきたす虞れがなく、その上、上記二つの縦長孔のうち、穿設位置を下方にずらしている縦長孔の下端部から指先を挿入することによって積み重ね状態の収容容器における下層側の収容容器の後端面を押し進めて収納室の開口前端側から最下部の収容容器の前端面を持ち上げている指先と共に収納容器全体を形崩れさせることなく安定した積み重ね状態を保持しながら円滑に収納容器外に取り出すことができる。
【００３０】
請求項２に係る発明によれば、係止突起は半球形状の小突起からなり、この係止突起を各収納室の開口端における底面板の前端上面と天面板の前端下面とに突設しているので、検体収容容器が係止突起に引っ掛かることなくその円弧面を乗り上げるようにして収容容器を簡単に出し入れすることができるのは勿論、この係止突起を各収納室の開口端における底面板の前端上面と天面板の前端下面とに突設しているので、ケース本体をその天地が逆になるように、即ち、底面板が天面板となるように配設しても、そのまま上記同様にして収納容器を収納室に該収納室からの滑り出しが出来ない状態となるように収納することができるものであり、さらに、取り出し時においては、上記縦長孔からなる透孔において、もう一方の透孔がその穿設位置を下方にずらした形態となり、従って、ケース本体が天地を反転させた状態で設置されていてもこの透孔の下端部から指先を挿入することによって上記同様に円滑な取り出しが可能となるものである。
【図面の簡単な説明】
【図１】一部を切欠いた保存用ケースの斜視図、
【図２】その簡略正面図、
【図３】一部を断面した側面図、
【図４】検体収容容器の簡略斜視図、
【図５】検体収容容器を収納している状態の縦断側面図、
【図６】収納した状態の縦断側面図、
【図７】検体収容容器の取出し開始時の縦断側面図、
【図８】取り出し状態を示す縦断側面図、
【図９】従来例を示す簡略斜視図。
【符号の説明】
Ａ  保存用ケース
Ｂ  検体収容容器
１  ケース本体
１ａ  天面板
１ｂ  底面板
１ｃ  後面板
１ｄ  後面板
２  仕切板
３  収納室
４、４Ａ  係止突起
５、５Ａ  透孔
【図１】
0003586189.tif 000002
【図２】
0003586189.tif 000003
【図３】
0003586189.tif 000004
【図４】
0003586189.tif 000005
【図５】
0003586189.tif 000006
【図６】
0003586189.tif 000007
【図７】
0003586189.tif 000008
【図８】
0003586189.tif 000009
【図９】
0003586189.tif 000010